(57)【要約】【課題】フィルムの印刷面に付着した塵埃、髪の毛等を効率的に除去することができるフィルムの異物除去装置を提供する。【解決手段】本発明のフィルムの異物除去装置１０は、フィルム１１の印刷面側に配置した正極２２と、前記フィルム１１を間に挟んで前記正極２２と所定間隔を開けて対向させた負極２４と、前記正極２２と前記負極２４に接続して高電圧を印加する高圧発生器２６と、からなり、前記フィルム１１の周囲の異物を前記正極２２及び前記負極２４間で帯電させて前記フィルム１１の印刷面に付着させる帯電部２０と、前記帯電部２０で帯電して前記フィルム１１の印刷面上に付着した前記異物に紫外線を照射して除電する除電部３０と、前記フィルム１１の印刷面上で除電した前記異物を除去する除塵部４０と、を備えたことを特徴としている。【選択図】    図１
2015145094.tif 000002
【特許請求の範囲】
【請求項１】
フィルムの印刷面側に配置した正極と、前記フィルムを間に挟んで前記正極と所定間隔を開けて対向させた負極と、前記正極と前記負極に接続して高電圧を印加する高圧発生器と、からなり、前記フィルムの周囲の異物を前記正極及び前記負極間で帯電させて前記フィルムの印刷面に付着させる帯電部と、
前記帯電部で帯電して前記フィルムの印刷面上に付着した前記異物に紫外線を照射して除電する除電部と、
前記フィルムの印刷面上で除電した前記異物を除去する除塵部と、
を備えたことを特徴とするフィルムの異物除去装置。
【発明の詳細な説明】
【技術分野】
【０００１】
本発明は、特に印刷用フィルムの印刷面に付着した塵埃、髪の毛等の異物を除去するフィルムの異物除去装置に関する。
【背景技術】
【０００２】
ロゴマーク・製品名等を印刷して、製品を包装可能な印刷用フィルムが広く利用されている。
このような印刷用フィルムは、一例として、材質にＰＥＴを用いた場合、静電気によって帯電した空気中の塵埃や、作業員の毛髪等がフィルムの表面に付着し易い。特に透明なフィルムの表面に毛髪が付着した場合、目視で確認することは困難である。フィルムの印刷面に異物が付着したまま印刷装置に搬送されて印刷を行うと製品不良となってしまう。
【０００３】
従来の印刷用フィルムは、印刷面を水洗浄、粘着ゴムにより異物を除去していた。また、静電気を防ぐために工場内を加湿していた。
特許文献１は従来の塵埃除去装置である。この塵埃除去装置は、塵埃除去の対象物を搬送する搬送手段と、搬送手段上に第１及び第２帯電ローラを設けている。第１帯電ローラでは−に帯電し、＋の塵埃を吸着している。第２帯電ローラでは＋に帯電し、−の塵埃を吸着している。そして各帯電ローラに吸着された塵埃を集塵機構で吸引除去している。
【先行技術文献】
【特許文献】
【０００４】
【特許文献１】特開２００７−７３８７７号公報
【発明の概要】
【発明が解決しようとする課題】
【０００５】
しかしながら、フィルムを水洗浄した後は、十分に乾燥させなければ、印刷することができない。また、加湿すると印刷工程に不具合を生じるおそれがあった。さらに、表面に付着した髪の毛等を検知可能な検査装置は、非常に高価という問題があった。
【０００６】
従来の塵埃除去装置では、塵埃除去の対象物に既に付着している塵埃を除去する構成であり、搬送する雰囲気中の塵埃を除去することができず、搬送過程で空気中の塵埃等がフィルム表面に付着することがある。また、複数の帯電ローラ、集塵機構が必要となり、装置が大型化してしまう。これにより、設置スペースの狭い既設の印刷装置に適用することが困難であった。
【０００７】
そこで、本発明が解決しようとする課題は、上記問題点に鑑み、フィルムの印刷面に付着した異物を効率的に除去することができるフィルムの異物除去装置を提供することを目的としている。
【課題を解決するための手段】
【０００８】
本発明は、上記の課題を解決するための手段として、フィルムの印刷面側に配置した正極と、前記フィルムを間に挟んで前記正極と所定間隔を開けて対向させた負極と、前記正極と前記負極に接続して高電圧を印加する高圧発生器と、とからなり、前記フィルムの周囲の異物を前記正極及び前記負極間で帯電させて前記フィルムの印刷面に付着させる帯電部と、前記帯電部で帯電して前記フィルムの印刷面上に付着した前記異物に紫外線を照射して除電する除電部と、前記フィルムの印刷面上で除電した前記異物を除去する除塵部と、を備えたことを特徴とするフィルムの異物除去装置を提供することにある。
【発明の効果】
【０００９】
上記構成による本発明によれば、フィルムの印刷面に付着した異物を効率的に除去することができる。これにより、従来のように異物を除去する工程で水洗浄する必要がなく、フィルムの洗浄後に乾燥処理することなく印刷処理を行うことができる。
フィルムに付着している異物のほかにも、搬送手段周辺、印刷面上の雰囲気中の塵埃等の異物をフィルム表面に付着させて除去することができる。
また、既存の印刷装置に取り付けることができ、異物付着による印刷不良を大幅に改善することができる。
【図面の簡単な説明】
【００１０】
【図１】本発明のフィルムの異物除去装置の構成概略を示す図であり、（１）は側面図、（２）は平面図である。
【図２】本発明のフィルムの異物除去装置の説明図である。
【発明を実施するための形態】
【００１１】
本発明のフィルムの異物除去装置の実施形態を添付の図面を参照しながら、以下詳細に説明する。図１は、本発明のフィルムの異物除去装置の構成概略を示す図である。
【００１２】
本発明の適用対象となるフィルム１１は、一例として、文字・図形等を印刷可能で、製品を包装可能な印刷用フィルムである。印刷用フィルムはシート状のフィルムであり、材質にＰＥＴなどを用いている。ロール状のフィルムは複数のローラを備えた搬送手段１２によって印刷装置（不図示）に搬送される。この搬送手段１２の平面上の搬送路に本発明のフィルムの異物除去装置１０を取り付けることができる。また、異物とは、フィルム１１の印刷面に静電気により付着するものであり、フィルム１１の搬送手段１２の雰囲気中（空気中）の塵埃、作業員の毛髪などを対象としている。
【００１３】
［フィルムの異物除去装置］
本発明のフィルムの異物除去装置１０は、フィルム１１の搬送手段１２の搬送面に取付可能とし、帯電部２０と、除電部３０と、除塵部４０を主な基本構成としている。
【００１４】
［帯電部２０］
帯電部２０は、正極２２と、負極２４と、高圧発生器２６と、電源２８を主な構成としている。正極２２及び負極２４は、平板状の電極であり、所定間隔を開けて互いに対向させている。正極２２は、フィルム１１の印刷面に面する側に配置している。一方、負極２４は、フィルム１１の印刷面の裏面、換言するとフィルム１１の非印刷面に面する側に配置している。正極２２及び負極２４は、長さ方向（フィルムの幅方向）がフィルム１１の幅方向を跨る長さとし、幅方向（フィルムの長さ方向）が設置スペースなどに応じて所定の長さに設定している。そして、対向させた正極２２及び負極２４は所定の間隔を開けて、搬送手段１２の搬送路上のフィルム１１を挟むように設置している。
正極２２及び負極２４は、高圧発生器２６と電気的に接続している。高圧発生器２６は、電源２８と電気的に接続し、高電圧を正極２２及び負極２４に印加させている。
【００１５】
このような構成の帯電部２０は、高圧発生器２６から高電圧が正極２２及び負極２４に印加されると、図１（１）の破線矢印に示すような正極２２から負極２４に向けて静電気が作用する。これにより、フィルム１１の印刷面側であって、正極２２の周囲の空気中の塵埃が静電気により帯電して負極２４側へ引き寄せられる。このとき正極２２と負極２４の間にはフィルム１１が介在しているため、フィルム１１の印刷面上に帯電した塵埃が付着する。一方、フィルム１１の印刷面の裏面（フィルムの非印刷面）側では、負極２４の周囲の塵埃が静電気により帯電して負極２４に引き寄せられて負極２４に付着する。
【００１６】
［除電部３０］
除電部３０は、前述の帯電部２０の後段に設けている。本実施形態の除電部３０は紫外線ランプ３２を用いている。紫外線ランプ３２は、１８４ｎｍを主波長とするオゾンを発生可能な波長域の紫外線を照射可能な低圧放電管であり、ケーシング３４内に取り付けている。ケーシング３４は、内側に反射板を備え、中心に紫外線ランプ３２を取り付けて、照射面が搬送手段１２の搬送面と対向するように配置している。
【００１７】
なお、除電部３０は紫外線ランプ３２のほかにも、オゾンを発生可能な波長域の紫外線を照射可能な有機ＥＬ素子、ダイオードなどを用いることもできる。
また、前段の帯電部２０側に紫外線が漏れないように、帯電部２０と除電部３０の間に遮蔽板を設けるとよい。
このような構成の除電部３０は、紫外線ランプ３２から１８４ｎｍを主波長とする紫外線がフィルム１１の印刷面に照射されると、この紫外線によって静電気で付着した異物から光電子が放出されることにより、帯電した異物が中和される。これにより、印刷面上の異物は表面に除電された状態で付着している。
【００１８】
［除塵部４０］
除塵部４０は前述の除電部３０の後段に設けている。除塵部４０は、フィルム１１の印刷面上で除電されて付着している異物を吸引除去するものである。本実施形態の除塵部４０は、一例として吸引ポンプ（不図示）を用いている。このほか異物を印刷面から除去できる構成であれば、吸引ファンなどを用いてもよい。
除塵部４０は、吸い込み口４２と、ダクト４４と、吸引ポンプからなる。吸い込み口４２は、フィルム１１の幅方向に跨って形成されている。
【００１９】
このような構成の除塵部４０は、吸引ポンプを稼働させると吸い込み口４２側が負圧となる。そしてフィルム１１の印刷面上に除電して付着した異物を容易に吸い込んで印刷面から除去している。
【００２０】
［作用］
上記構成による本発明のフィルムの異物除去装置は、次のように作用する。図２は本発明のフィルムの異物除去装置の説明図である。
【００２１】
図２（１）に示すように、帯電部２０の高圧発生器から高電圧が正極２２及び負極２４に印加されると、破線矢印に示すような正極２２から負極２４に向けて静電気が作用する。これにより、フィルム１１の印刷面側であって、正極２２の周囲の空気中の塵埃が静電気により帯電して負極２４側へ引き寄せられる。このとき正極２２と負極２４の間にはフィルム１１が介在しているため、フィルム１１の印刷面上に帯電した塵埃が付着する。一方、フィルム１１の印刷面の裏面（フィルムの非印刷面）側では、負極２４の周囲の塵埃が静電気により帯電して負極２４に引き寄せられて負極２４に付着する。
【００２２】
次に、図２（２）に示すように、除塵部３０の紫外線ランプ３２から１８４ｎｍを主波長とする紫外線がフィルム１１の印刷面に照射されると、この紫外線によって静電気で付着した異物から光電子が放出されることにより、帯電した異物が中和される。これにより、フィルム１１の印刷面上の異物は表面に除電された状態で付着する。
【００２３】
そして、図２（３）に示すように、除塵部４０の吸引ポンプを稼働させると吸い込み口４２側が負圧となる。フィルム１１の印刷面上に除電して付着した異物は、帯電しているときよりも付着力が低下している。このため、吸い込み口４２の吸引力によって、容易に異物を吸い込んで印刷面から除去できる。
【００２４】
このような本発明のフィルムの異物除去装置によれば、フィルムの印刷面に付着した異物を効率的に除去することができる。フィルムに付着している異物のほかにも、搬送手段周辺、印刷面上の雰囲気中の塵埃等の異物をフィルム表面に付着させて除去することができる。よって、従来のように異物を除去する工程で水洗浄、印刷工程で加湿する必要がなく、フィルムの洗浄後に乾燥処理することなく印刷処理を行うことができる。
【００２５】
また、除塵部の後段に印刷装置を設置、換言すれば印刷装置の前段の搬送路に本発明のフィルムの除塵装置を設置することにより、既存の印刷装置に容易に適用することができる。そして、印刷工程の直前でフィルム表面の異物を除去することができるため、異物による印刷不良を大幅に低減することができる。
【００２６】
［変形例］
実施形態の正極の構造は平板状の形態で説明したが、このほかにも、複数のワイヤをフィルムの幅方向に直線上に並べて両端を絶縁体で支持した構造、先端を針状に形成した電極を平面上に複数並べた構造などの形態を採用することができる。
【００２７】
実施形態の除電部と除塵部はそれぞれ搬送路に対して並べた構成で説明したが、この他にも一体構造とすることができる。すなわち、除電部のケーシング内に除塵部の吸い込み口を形成する構成により、除電した異物を即座に吸引除去することができる。これにより、装置全体の省スペース化が図れる。
【産業上の利用可能性】
【００２８】
本発明のフィルムの異物除去装置は、印刷用フィルムのほかにも、フィルム表面の洗浄を必要とするあらゆる工業用フィルムの分野に適用することができる。
【符号の説明】
【００２９】
１０………フィルムの異物除去装置、１１………フィルム、１２………搬送手段、２０………帯電部、２２………正極、２４………負極、２６………高圧発生器、２８………電源、３０………除電部、３２………紫外線ランプ、３４………ケーシング、４０………除塵部、４２………吸い込み口。
【図１】
2015145094.tif 000003
【図２】
2015145094.tif 000004